(57)【要約】  接着テープディスペンサー（１）は最小限の数の構成要素からなり、接着テープロール（２）を受け入れて収容するホルダー（１０）と、ホルダー（１０）から延びているハンドル（２０）と、ローラー（４０）とを備えている。ローラー（４０）は、ホルダー（１０）に回転可能に設けられ、ホルダー（１０）に受け入れられた接着テープロール（２）の外周に接触し、この装置（１）の使用中に接着テープロール（２）から操り出され、表面に当てられた接着テープ（２ａ）を、この装置（１）から外向きにガイドする。ホルダー（１０）は、単一の全体的な一体構造であり、押さえ部（１６）を備え、押さえ部（１６）は、ローラー（４０）に対して接着テープ（２ａ）を押し付けるための自由端（１６ａ）を有する。ローラー（４０）は、ホルダー（１０）との直接結合のみに基づいて、ホルダー（１０）に保持されている。
2019510712.tif 000002
【特許請求の範囲】
【請求項１】
接着テープを表面に貼り付ける装置であって、
接着テープロールを受け入れて収容するホルダーであり、前記接着テープロールを軸方向に保持しつつ、これをその外周の一部に沿って囲むように構成されているホルダーと、
前記ホルダーから延びているハンドルと、
前記ホルダー内に回転可能に設けられ、前記ホルダーに受け入れられた前記接着テープロールの外周に接触し、装置使用中に前記接着テープロールから繰り出され、前記表面に当てられた前記接着テープを装置外へガイドするローラーとを備え、
前記ホルダーは、単一の全体的な一体構造として構成され、押さえ部を備え、前記押さえ部の自由端は、前記接着テープが前記ローラーと前記押さえ部の前記自由端との間に挿入されたときに前記接着テープを前記ローラーに押し付け、
前記ローラーは、前記ホルダーとの直接結合のみに基づいて、前記ホルダーに保持されている、装置。
【請求項２】
前記ローラーはその両端に支持軸を備え、前記ホルダーは二つのフラップを備え、二つの前記フラップは互いに距離をおいて延び、開口を有し、前記ローラーは、前記フラップ中の前記開口に受け入れられた前記支持軸を伴って前記ホルダーの前記フラップの間に配置されている請求項１記載の装置。
【請求項３】
前記ローラーのみが回転可能な構成要素である請求項１又は２記載の装置。
【請求項４】
前記ホルダーは二つの脚部を備え、二つの前記脚部は弾性的に互いに離されるように構成されている請求項１ないし３いずれか１項に記載の装置。
【請求項５】
前記ホルダーは、部分的に囲むことのみに基づいて、前記接着テープロールを収容するように構成されている請求項１ないし４いずれか１項に記載の装置。
【請求項６】
前記ホルダーの前記押さえ部の幅サイズは、前記ホルダーの全体的な幅サイズより小さい請求項１ないし５いずれか１項に記載の装置。
【請求項７】
前記ホルダーと前記ハンドルとは互いに一体に設けられている請求項１ないし６いずれか１項に記載の装置。
【請求項８】
全体的に単一の材料から作られている請求項１ないし７いずれか１項に記載の装置。
【請求項９】
さらに切断機構を備え、前記切断機構は、前記ホルダーから延びているテープ貼着部と、前記ホルダーから見て前記テープ貼着部の自由端より手前側に位置し、装置からの前記接着テープを切断するための切断刃とを含み、前記テープ貼着部は前記ホルダーに一体に設けられている請求項１ないし７いずれか１項に記載の装置。
【請求項１０】
前記切断刃の一部は前記ホルダーと前記テープ貼着部との前記全体的な一体構造内に保持されている請求項９記載の装置。
【請求項１１】
前記ローラー、前記切断刃、及び前記ホルダーと前記ハンドルと前記テープ貼着部との前記全体的な一体構造のみを備えている請求項９又は１０記載の装置。
【請求項１２】
接着テープロールを受け入れて収容するホルダーであり、前記接着テープロールを軸方向に保持しつつ、これをその外周の一部に沿って囲むように構成されているホルダーと、前記ホルダーから延びているハンドルと、前記ホルダー内に回転可能に設けられ、前記ホルダーに受け入れられた前記接着テープロールの外周に接触し、装置使用中に前記接着テープロールから繰り出され、表面に当てられた接着テープを装置外へガイドするローラーとを備え、前記接着テープを前記表面に貼り付ける装置を製造する方法であって、
前記ホルダーは、単一の全体的な一体構造として構成され、その押さえ部は自由端を有し、前記自由端は、前記接着テープが前記ローラーと前記押さえ部の前記自由端との間に挿入されたときに前記接着テープを前記ローラーに押し付け、
前記ローラーは、前記ホルダーに直接結合されている、装置を製造する方法。
【請求項１３】
前記ローラーはスナップ結合で前記ホルダー内に回転可能に設けられている請求項１２記載の方法。
【請求項１４】
前記ホルダーと前記ハンドルとは互いに一体に設けられている請求項１２又は１３記載の方法。
【請求項１５】
前記ローラーを伴う前記ホルダーと前記ハンドルとの前記全体的な一体構造は、射出成型の工程でプラスチック材料から形成され、前記ホルダー及び前記ハンドルの前記全体的な一体構造の形成と前記ローラーの形成との両方のために構成された射出成形の単一の成形型が用いられる請求項１４記載の方法。
【請求項１６】
前記ローラーは前記ホルダーとともに射出成形され、後のステップで前記ホルダーから破断して取られる請求項１５記載の方法。
【請求項１７】
前記ホルダーと前記ハンドルとがなす少なくとも一つの前記全体的な一体構造が、３Ｄプリンティングなどの追加的な製造技術を用いて形成される請求項１４記載の方法。
【請求項１８】
前記装置が全体的に単一の材料から作られている請求項１２ないし１７いずれか１項に記載の方法。
【請求項１９】
前記装置はさらに切断機構を備え、前記切断機構は、前記ホルダーから延びているテープ貼着部と、前記ホルダーから見て前記テープ貼着部の自由端より手前側に位置し、前記装置からの前記接着テープを切断するための切断刃とを含み、前記テープ貼着部は前記ホルダーに一体に設けられている請求項１２ないし１７いずれか１項に記載の方法。
【請求項２０】
前記装置はさらに切断機構を備え、前記切断機構は、前記ホルダーから延びているテープ貼着部と、前記ホルダーから見て前記テープ貼着部の自由端より手前側に位置し、前記装置からの前記接着テープを切断するための切断刃とを含み、前記テープ貼着部は前記ホルダーに一体に設けられ、
前記ホルダーと前記テープ貼着部とがなす少なくとも一つの前記全体的な一体構造が、射出成形の工程でプラスチック材料から射出成形の成形型を用いて形成され、前記切断刃は、射出成形の前記工程の前に前記切断刃を射出成形の前記成形型に入れることによって、前記ホルダーと前記テープ貼着部との前記全体的な一体構造内に保持され、前記ホルダーを形成する前記プラスチック材料が射出成形の前記工程の間に前記切断刃の一部の周りに流れることを可能にする請求項１２ないし１６いずれか１項に記載の方法。
【請求項２１】
前記装置が、前記ローラー、前記切断刃、及び前記ホルダーと前記ハンドルと前記テープ貼着部との前記全体的な一体構造のみを備えている請求項１９又は２０記載の方法。
【発明の詳細な説明】
【技術分野】
【０００１】
本発明は、接着テープを表面に貼り付ける装置に関する。本装置は、以下の記載では接着テープディスペンサーと称する。また本発明は、この装置を製造する方法に関する。
【背景技術】
【０００２】
接着テープディスペンサーは一般に知られ、多くの実際の例において利用可能である。多くの実際的な場合において、接着テープディスペンサーは、包装テープのロール、即ち、少なくとも５０ｍｍの標準幅で入手可能なロールから繰り出すために使用されることが意図されている。このことは、接着テープの他のロールとの使用にも適した接着テープディスペンサーも、やはり同様に入手可能であるという事情に別に矛盾しない。本発明は、特定のタイプの接着テープにも、特定の接着テープロール寸法にも決して限定されない。
【０００３】
多くの場合、接着テープディスペンサーは、多くの構成要素からなる複雑な製品である。例えば、国際公開第２００８／１５０６０８号公報は、包装テープを用いて箱を閉じるために使用される接着テープディスペンサーの共通の実施形態を示す。この接着テープディスペンサーのユーザーは、作業中に片手だけを使って済ませることができる。従ってユーザーは、他方の手で箱の閉じた状態を保つのに必要な位置に箱のフラップを保持することができ、箱の上の接着テープを押すこともできる。一般的に知られている接着テープディスペンサーは、接着テープロールを受けるフレームと、フレームから延びるハンドルと、フレームに回転可能に配置された支持要素とを有する。接着テープロールを支持要素上で横方向にスライドさせることにより、接着テープロールを接着テープディスペンサー内に入れる。支持要素の寸法は、その外周部の一部に沿って、接着テープロールの内周部と、ある程度の挟み付け状態で係合できるように選択される。さらに、接着テープディスペンサーの様々な寸法は、接着テープロールの共通の幅、及び共通の内径及び外径に適合されている。
【０００４】
さらに、フレームは、ヒンジ式の蓋によって閉塞できる挿入開口と、ローラーと、金属の切断刃を有する切断バー（ｂｅａｍ）と、圧着板とを備えている。接着テープロールが接着テープディスペンサーに受け入れられた後、接着テープの前側の部分が挿入開口を通して挿入され、その後、ヒンジ式の蓋が閉鎖位置にされて、接着テープの非接着面とローラーとの接触を引き起こす。
【０００５】
挿入開口から挿入された接着テープの先端部が接着面を下にして閉塞するべき箱に当てられてから、ユーザーが接着テープディスペンサーを直線に沿って移動させるにつれて、接着テープは自動的に箱に正しく載置されて固着される。その結果得られた接着テープの引っ張り力に基づいて接着テープロールをホルダー内で回転させて、接着テープディスペンサーにより接着テープを繰り出す。ユーザーは、接着テープディスペンサーから出て箱に載置された接着テープを切断したい場合には、接着テープディスペンサーのハンドルを持って、自分の手で下向きにひねる動作を行い、切断刃と圧着板を接着テープに接触させる。この位置では、接着テープは、接着テープを箱に貼着するために、そして接着テープがローラーの周りを余分に移動するのを回避するために、圧着板によって箱に押し付けられ、切断刃は、接着テープの全幅に沿って切断を行う。
【０００６】
従って、上述したことから、公知の接着テープディスペンサーはかなりの数の異なる構成要素、即ちフレーム、ハンドル、回転可能な支持要素、ヒンジ式の蓋、ローラー、切断刃を有する切断バー、及び圧着板を備えている。フレームは、接着テープディスペンサーの他の構成要素がネジなどの結合手段を介して取り付けられる、二つの部分を有する。このように既知の接着テープディスペンサーが構成されている事情があるため、接着テープディスペンサーのコストは比較的高い。これは実際には、接着テープディスペンサーが接着テープロールの形態の非常に安価な道具との組み合わせで、手動操作で比較的簡単な動作を実行するための道具としての用途を意図するものである事情に適合していない。
【発明の概要】
【０００７】
米国特許第３，９７２，７６９号公報は、国際公開第２００８／１５０６０８号公報で公知の接着テープディスペンサーと同様に、接着テープディスペンサーの他の構成要素がネジ等の結合手段を介して取り付けられる二つの部分を含むフレームを有する接着テープディスペンサーに関する。これら両者の接着テープディスペンサーの間のもう一つの類似点は、米国特許第３，９７２，７６９号公報で公知の接着テープディスペンサーが、フレームとローラーとに連結されたハンドルを含むという事項に係っている。さらに、米国特許第３，９７２，７６９号公報で知られている接着テープディスペンサーは、接着テープを伸張する機能を有する可動舌片を含む。しかし国際公開第２００８／１５０６０８号公報で知られている接着テープディスペンサーとは対照的に、米国特許第３，９７２，７６９号公報で公知の接着テープディスペンサーは、接着テープロールのための支持要素を持たない。接着テープの接着面が可動舌片と接触することに基づいて、接着テープロールのフレームからの脱落が回避される。フレームには、他のローラーと同様に、フレームに収容された接着テープロールの外周に接触する小さなローラーが設けられているので、接着テープディスペンサーの使用中に、接着テープロールは二つのローラーに沿って回転する。これにより、フレーム内の接着テープロールの円滑な回転移動を実現することができる。さらに留意するべきことは、米国特許第３，９７２，７６９号公報で知られている接着テープディスペンサーが、接着テープを切断するように構成されていないことである。しかしながら、接着テープディスペンサーは、結合手段を介して二つのフレーム部の間の適所に保持される相当に多数の構成要素をやはり含んでいる。
【０００８】
本発明の目的は、新しいタイプの接着テープディスペンサー、特に、最小限の構成部品で実現され、その結果として比較的安価な方法で製造できる種類の接着テープディスペンサーを提供することである。この目的は、接着テープを表面に貼り付ける装置を提供することによって達成され、この装置は、接着テープロールを受け入れて収容するホルダーであり、接着テープロールを軸方向に保持しつつ、これをその外周の一部に沿って囲むように構成されているホルダーと、ホルダーから延びているハンドルと、ホルダー内に回転可能に設けられ、ホルダーに受け入れられた接着テープロールの外周に接触し、装置使用中に接着テープロールから繰り出され、表面に当てられた接着テープを装置外へガイドするローラーとを備え、ホルダーは、単一の全体的な一体構造として構成され、押さえ部を備え、押さえ部の自由端は、接着テープがローラーと押さえ部の自由端との間に挿入されたときに接着テープをローラーに押し付け、ローラーは、ホルダーとの直接結合のみに基づいて、ホルダーに保持されている。
【０００９】
本発明の根底にある観点によれば、ローラーとホルダーとを単一の全体的な一体構造として押さえ部を備えた上記構成の接着テープディスペンサーを提供することができ、接着テープディスペンサーの完全な機能を実現することができる。しかも、必須ではないが、ホルダーとハンドルとは互いに一体に設けられていることが可能である。特に、ホルダーは接着テープロールを受け入れて収容するように構成され、接着テープディスペンサーのユーザーが接着テープディスペンサーを把持して操作することを可能にするハンドルが設けられている。ローラーは接着テープディスペンサーから外向きにテープを案内するように構成されて位置決めされ、接着テープディスペンサーの使用中であって、引っ張り力の影響を受けてホルダー内に受容された接着テープロールから接着テープが取り出されたときに、回転される。また、接着テープロールの繰り出しに必要な回転移動を実現するために、これに基づいて接着テープロールを駆動する。ホルダーの押さえ部は、テープをローラーに押し付けるように構成され、位置決めされる。この点で、接着テープディスペンサーは、ローラーの他に回転可能な他の構成要素を有さなくてもよい。
【００１０】
本発明による接着テープディスペンサーの構造は複雑ではないが、それのみならず、その適用が複雑な動作を実際に必要としない。接着テープディスペンサーに接着テープロールを装着し、そのロールの接着テープが接着テープディスペンサーによって正しい方法で繰り出せることを確実にするためには、必要とされる二つの動作は、接着テープロールをホルダーに挿入することと、非接着面がローラーに接触した状態で、ロールのテープがループ状にローラーの周りでホルダーから案内され、さらに接着テープの自由端を操作することでローラーと押さえ部の自由端との間に挿入することだけを行えばよい。表面に接着テープのストリップを貼り付けるために接着テープディスペンサーを使用する目的のためには、接着テープの接着面をローラーの位置で表面に接触させ、接着テープを接着テープディスペンサーから引っ張る方向に接着テープディスペンサーを移動させ、それにより表面に付着するストリップの長さを増加させる動作だけを行えばよい。上述したすべての動作において、接着テープディスペンサーは、ハンドルによってユーザーが容易に操作できる。
【００１１】
本発明によれば、ローラーはホルダーへの直接結合のみに基づいてホルダー内に保持される。これは、結合手段を使用する必要がないことを意味し、接着テープディスペンサーを最小数の構成要素で実現することに非常に寄与する。直接結合の実際の例はスナップ結合である。例えば、ローラーはその両端に支持軸を備え、ホルダーは二つのフラップを備え、二つのフラップは互いに距離をおいて延び、開口を有し、ローラーは、フラップ中の開口に受け入れられた支持軸を伴ってホルダーのフラップの間に配置されていてもよい。
【００１２】
本発明による接着テープディスペンサーの実際的な実施形態では、ホルダーは二つの脚部を備え、二つの脚部は弾性的に互いに離されるように構成されている。この場合、接着テープロールは、二つの脚部の間で移動させてホルダーに押し込むだけで、簡単に装填できる。これは、接着テープロールを通過させるための一時的に拡大された開口を実現するために脚部が離れるように移動するので、ホルダーから接着テープロールを再び取り外す手段としての移動が力で実現されない限り、接着テープロールの逆方向の動きを妨げるのに十分なだけ小さい開口の初期位置にあとでもどる。ホルダーの脚部を弾力的に離す可能性は、例えばホルダーが適切なプラスチックから製造される場合に得られる。ホルダーが接着テープロールをその外周の一部に沿って囲むように構成されている構造の大きな利点は、国際公開第２００８／１５０６０８号で知られているような回転可能な支持要素や、実際に知られている接着テープディスペンサー中の回転可能な支持要素を適用する必要がないことであり、これは本発明による接着テープディスペンサーの構成の簡素化に寄与する。その場合、ホルダーは、部分的に囲むことのみに基づいて、接着テープロールを収容するように構成されている。
【００１３】
好ましくは、ホルダーは、上述したような挿入開口を有し、この挿入開口を介して、ホルダーに接着テープロールを挿入することができる。さらに、ホルダーは、その周縁に沿った方向から見て、ローラーに対して開放した空間を残す別の開口を有する場合に実際的である。その場合、押さえ部は、ホルダーの舌状の周辺部であり、全体がローラーの方に伸びていてもよい。押さえ部の位置決め及び構成は、ローラーが押さえ部を多少押し出すように、また追加の手段の使用を必要とせずに、押さえ部のローラーに対する押圧作用をそれに基づいて得ることができるように、選択することができる。好ましくは、押さえ部の幅サイズは、ホルダーの全体的な幅サイズより小さく、接着テープディスペンサーのユーザーが自分の指で、ローラーと押さえ部との間にテープを挿入するのに十分なスペースがある。もちろん、ホルダーの全体的な幅サイズが接着テープロールの通常の幅、特に通常の幅が５０ｍｍの包装テープのロールに適合されている場合に実際的である。
【００１４】
本発明による接着テープディスペンサーは、全体的に単一の材料から作ることができる。ローラーを伴うホルダー及びハンドルの全体的な一体構造のための適切な材料の実際の例は、プラスチックである。一方、上述のように接着テープディスペンサーの構成要素に異なる材料を使用することが望ましい場合がある。部品は、異なる種類のプラスチックから製造することができ、例えば、ホルダーとハンドルとの全体的な一体構造がプラスチック製であり、ローラーがゴム状材料で作られ、それによって案内されるべきテープ上のローラーの最適なグリップ性を確実にする。異なる材料から構成要素を製造することは、構成要素に異なる色を付ける容易な可能性を提供し、美的観点から望ましい可能性がある。
【００１５】
好ましくは、接着テープディスペンサーは、テープの供給に適しているだけでなく、供給された接着テープを接着テープディスペンサーから切断するのにも適している。この観点から、接着テープディスペンサーは切断機構を備え、切断機構は、ホルダーから延びているテープ貼着部と、ホルダーから見てテープ貼着部の自由端より手前側に位置し、装置からの接着テープを切断するための切断刃とを含むことができる。その場合、テープ貼着部とホルダーとが一体化されているので、実際には切断刃のみが追加構成要素であることが有利である。また、その場合には、ローラー、切断刃、及びホルダーとハンドルとテープ貼着部との全体的な一体構造のみを備えている接着テープディスペンサーを供することが可能である。さらに、切断刃に適した材料は、刃及び他の切断手段で一般的に使用される鋼又は他の耐久性のある材料である。テープ貼着部は、接着テープディスペンサーのユーザーが接着テープディスペンサーによって供給された接着テープの一部にテープ貼着部を押し付けたときに、接着テープを貼着するように構成されている。特に、テープ貼着部は、板片状に成形することができる。
【００１６】
接着テープディスペンサーは、切断刃をこれに配置することができる様々な方法がある。本発明の一般的な概念によれば、付加的な結合手段を使わない場合が好ましい。例えば、切断刃の一部がホルダー及びテープ貼着部の全体的な一体構造に保持される接着テープディスペンサーの構成を有することが可能である。代替的及び／又は追加的手段として、切断刃の挟み付け結合部をホルダー及びテープ貼着部の全体的な一体構造に有することが実現可能である。
【００１７】
本発明はさらに、上述の内容で定義された装置を製造する方法に関する。即ち、接着テープロールを受け入れて収容するホルダーであり、接着テープロールを軸方向に保持しつつ、これをその外周の一部に沿って囲むように構成されているホルダーと、ホルダーから延びているハンドルと、ホルダー内に回転可能に設けられ、ホルダーに受け入れられた接着テープロールの外周に接触し、装置使用中に接着テープロールから繰り出され、表面に当てられた接着テープを装置外へガイドするローラーとを備え、接着テープを表面に貼り付ける装置を製造する方法に関する。本発明の方法の場合に、ホルダーは、単一の全体的な一体構造として構成され、その押さえ部は自由端を有し、自由端は、接着テープがローラーと押さえ部の自由端との間に挿入されたときに接着テープをローラーに押し付け、ローラーは、ホルダーに直接結合されている。
【００１８】
実際的な例によれば、ローラーはスナップ結合でホルダー内に回転可能に設けられている。前述したように、例えばローラーの両端に支持軸が設けられ、ホルダーには互いに距離をあけて開口を備えた二つのフラップが設けられていてもよい。その場合、フラップは、ホルダーに関して材料の選択に基づいていくぶん弾力的に離れるように動くことができると仮定すると、ローラーはホルダーのフラップの間で押圧され、ロールの支持軸は、開口の位置でフラップにスナップではいり、フラップはその時点で原形にもどるので、支持軸が開口にスナップで入れられ、ローラーがフラップの間に保持される。
【００１９】
可能な限り少ない部品の接着テープディスペンサーを構成することを望む観点から、ホルダーとハンドルとが互いに一体に設けられていると有利である。そのような場合、ローラーを伴うホルダーとハンドルとの全体的な一体構造は、射出成型の工程でプラスチック材料から形成できる。これは、前述した特にローラーに関して、他の材料の選択が可能であるという事項に別に矛盾するものではない。射出成形の工程は、それ自体は公知であり、これ以上は詳述しない。ローラーがホルダー及びハンドルの全体的な一体構造と同じ材料を含む接着テープディスペンサーを製造する目的で、ホルダー及びハンドルの全体的な一体構造の形成とローラーの形成との両方のために構成された射出成形の単一の成形型を用いることができる。この場合、全ての接着テープディスペンサーの構成要素は、単一の射出成形の過程で製造が可能である。特に、ローラーはホルダーとともに射出成形することができ、後のステップでホルダーから破断して取られる。
【００２０】
本発明による接着テープディスペンサーは、異なる方法で製造することができる。上述したように、射出成形は適切な製造技術である。変形例として、例えば、ホルダーとハンドルとがなす少なくとも一つの全体的な一体構造を、３Ｄプリンティングなどの追加的な製造技術を用いて形成することが可能である。一般に、接着テープディスペンサーを全体的に単一の材料から作ることは実際的であり得る。
【００２１】
前述したように、装置はさらに切断機構を備え、切断機構は、ホルダーから延びているテープ貼着部と、ホルダーから見てテープ貼着部の自由端より手前側に位置し、装置からの接着テープを切断するための切断刃とを含む。その場合、テープ貼着部はホルダーに一体に設けられていると有利であり、接着テープディスペンサーの構成要素の数を最低限に抑えることができる。また、その場合には、ホルダーとテープ貼着部とがなす少なくとも一つの全体的な一体構造が、射出成形の工程でプラスチック材料から射出成形の成形型を用いて形成され、切断刃は、射出成形の工程の前に切断刃を射出成形の成形型に入れることによって、ホルダーとテープ貼着部との全体的な一体構造内に保持され、ホルダーを形成するプラスチック材料が射出成形の工程の間に切断刃の一部の周りに流れることを可能にする。
【００２２】
上述したように、本発明に係る装置が切断機構を有する場合は、装置は、ローラー、切断刃、及びホルダーとハンドルとテープ貼着部との全体的な一体構造のみを備えていることが可能である。
【図面の簡単な説明】
【００２３】
本発明は、ただ三つの異なる構成要素のみから構成されている接着テープディスペンサーの以下の説明に基づいてさらに説明される。参照する図面では、同一の参照符号は、同等又は類似の構成要素を示す。
【００２４】
【図１】接着テープディスペンサーの側面図である。
【図２】接着テープディスペンサーの第１の斜視図である。
【図３】接着テープディスペンサーの第２の斜視図である。
【図４】接着テープディスペンサーの側面図であり、接着テープロールがその中に受け入れられている。
【発明を実施するための形態】
【００２５】
図１，２，３は、本発明の実施形態に係る接着テープディスペンサー１のそれぞれ異なった外観を示している。図４は、これと同じ接着テープディスペンサー１の側面を示し、この中に接着テープロール２が受け入れられている。
【００２６】
接着テープディスペンサー１はただ三つの異なる構成要素のみから構成されている。第１のものは、全体的な一体構造３であり、これは、接着テープロール２を受け入れて収容するホルダー１０と、ホルダー１０から延び、接着テープディスペンサー１のユーザーによって把持され、接着テープディスペンサー１を操作するためのハンドル２０と、ホルダー１０から延び、切断機構３０の一部分をなす板片形状のテープ貼着部３１とを有する。切断機構３０はさらに、切断刃（ｋｎｉｆｅ）３２を備え、これは接着テープディスペンサー１の第２の構成要素である。切断刃３２はホルダー１０から見てテープ貼着部３１の自由端３１ａの手前側に位置している。後に詳しく述べるように、切断機構３０は、接着テープディスペンサー１からの接着テープを切る用途を意図したものである。接着テープディスペンサー１の図示した実施形態では、例えば接着テープディスペンサー１が誤って床に落下したときなどに切断刃３２を保護するように、切断機構３０は二つの突起部３３を切断刃３２の両側に備えている。接着テープディスペンサー１の第３の構成要素は、ホルダー１０内に回転可能に配置されたローラー４０である。好ましくは、ホルダー１０，ハンドル２０，テープ貼着部３１の全体的な一体構造３は、プラスチック材料で形成され、切断刃３２は金属で形成されている。切断刃３２は任意の好適な形状であってよく、例えば歯を有していてもよい。ローラー４０もまた、プラスチック材料で形成されていてよい。つまり、接着テープディスペンサー１から供給される接着テープ２ａの上でローラー４０の良好なグリップ性を確実にすることを念頭において、ローラー４０の材料の選択をすると好適である。
【００２７】
ホルダー１０の構成と寸法とは、受け入れる対象の接着テープロール２の構成と寸法に適合したものである。特に、図４に明示しているように、接着テープロール２が軸方向に保持されている間にも、その外周の一部分に沿って接着テープロール２を囲むようにホルダー１０は構成されている。ホルダー１０の第１周囲部１１は、接着テープロール２の外周の一部分を囲んで延び、ハンドル２０のすぐ上に位置する基部１１ａと、基部１１ａから延びた湾曲脚部１１ｂとを備えている。ホルダー１０の第２周囲部１２は、接着テープロール２の外周の一部分を囲んで延び、切断機構３０が設けられた基部１２ａと、基部１２ａから延びた湾曲脚部１２ｂとを備えている。ホルダー１０の二つの周囲部１１，１２は接着テープロール２のための凹面の支持面を規定している。これは二つの空隙（ｉｎｔｅｒｒｕｐｔｉｏｎ）、即ちローラー４０が位置する側の第１空隙と、反対側の第２空隙とを有する。この第２空隙は挿入開口１３を構成し、ここを通って接着テープロール２が、ホルダー１０の外から中へ、またホルダー１０の中から外へ移動できる。軸方向に接着テープロール２を保持する目的のために、ホルダー１０は、互いに距離をおいて延びている二つのほぼ平坦なカバー部１４，１５を有する。この距離は特に、ある幅を有する接着テープロール２をホルダー１０に受け入れ可能にするのに適合した距離である。図４に示すように、図に現れている側のカバー部１５は透明なものであり、他の諸部分の中で、図中で下にある接着テープロール２と下にあるローラー４０とを十分に視認可能にしている。
【００２８】
カバー部１４，１５はそれぞれフラップ１４ａ，１５ａを有し、ここに開口１４ｂ，１５ｂが形成されている。ローラー４０はその両端に支持軸４１，４２を有する。ローラー４０は二つのフラップ１４ａ，１５ａの間に保持され、ローラー４０の支持軸４１，４２は開口１４ｂ，１５ｂに入れられている。支持軸４１，４２は円形の外周を有し、フラップ１４ａ，１５ａは開口１４ｂ，１５ｂの位置に円形の内周を有する。これらに基づいて、ホルダー１０内でのローラー４０の回転が可能になる。
【００２９】
押さえ部１６は、ホルダー１０の第１周囲部１１の基部１１ａから、ローラー４０の方向に延びている。図示した例では、押さえ部１６は、長く伸びた矩形の形状の平坦な板片として実現されている。押さえ部１６の自由端１６ａはローラー４０に突き当てられる。図４に示すように、接着テープロール２から繰り出された接着テープ２ａがローラー４０と押さえ部１６の自由端１６ａとの間に挿入されたときに、突き当てる動作は、接着テープ２ａをローラー４０に押し付けることに効果を奏する。この場合、接着テープ２ａの長手方向への移動は、常にローラー４０の回転移動に関係している。この回転移動は、ホルダー１０内の接着テープロール２の回転移動を助ける。最後の回転移動は、接着テープロール２からの接着テープ２ａの繰り出しを可能にする。図２，３では、ホルダー１０の押さえ部１６の幅サイズが、ホルダー１０の全体の幅サイズより小さいことが分かる。これは必須ではないが、好適なものである。なぜならば、新しい接着テープロール２がホルダー１０に入れられ、接着テープ２ａの最初の部分をローラー４０と押さえ部１６の自由端１６ａとの間に挿入することが必要であるときに、接着テープ２ａを操作するのにスペースが使用可能になる。こうして、接着テープディスペンサー１から接着テープ２ａを正しく供給することが可能になる。
【００３０】
次に、接着テープディスペンサー１内への接着テープロール２の設置をどのように行うかを述べる。通常は、その間は、接着テープディスペンサー１のユーザーは片手でハンドル２０を把持する。第１の例では、接着テープロール２から接着テープ２ａを取り出そうとする方向に基づいて、ユーザーは接着テープロール２のホルダー１０に対する位置を決定する。接着テープディスペンサー１の正しい使用を行うためには、ホルダー１０の第１周囲部１１の基部１１ａへのローラー４０からの方向、つまり図４に示す反時計方向に、接着テープロール２が回転することの許容が確実にされるべきである。こうして接着テープ２ａをその状態で供給することができる。上述したようにホルダー１０に対して接着テープロール２を正しい位置にしている間は、ユーザーは、ホルダー１０の周囲部１１，１２の脚部１１ｂ，１２ｂの間で接着テープロール２を移動させること、つまり、既に述べたように挿入開口１３を介してローラー４０の方向に押さえることによって、ホルダー１０内で接着テープロール２を所定位置に押さえる。この動作が終わると、接着テープロール２はホルダー１０内に保持される。接着テープロール２はホルダー１０内に、ホルダー１０の二つの平坦なカバー部１４，１５によって軸方向に保持され、ホルダー１０の周囲部１１，１２の脚部１１ｂ，１２ｂは、挿入開口１３から抜け出すように接着テープロール２が径方向にホルダー１０から離れることを防止する。この後者に関しては、接着テープディスペンサー１の使用中には、接着テープロール２はローラー４０に向かって引っ張られるので、接着テープロール２はホルダー１０の周囲部１１，１２の脚部１１ｂ，１２ｂに力を加えないことに注意するべきである。脚部１１ｂ，１２ｂは、接着テープディスペンサー１が不使用の場合に原形が維持される程度に十分な剛性を有する。従って、脚部１１ｂ，１２ｂが原形にもどり、かつ挿入開口１３が接着テープロール２の通過を許容するほどに挿入開口１３が十分に大きくなる状況は、偶発的には起こりえない。
【００３１】
接着テープロール２がホルダー１０内で所定位置になったときに、接着テープディスペンサー１のユーザーは、接着テープ２ａを正確に接着テープディスペンサー１から送り出すのに適切な動作ができる。これは、接着テープ２ａの最初の一部分を接着テープディスペンサー１から引き出し、これをローラー４０と押さえ部１６の自由端１６ａとの間に挿入することによって行われる。上述したように、ユーザーは自分の指で接着テープ２ａを取り扱うスペースが与えられる。なぜならば、押さえ部１６は接着テープディスペンサー１の残り部分、即ち接着テープ２ａに対して十分に小さく、ユーザーは接着テープ２ａの一部に指を届かせて把持できるようになるからである。接着テープ２ａがローラー４０と押さえ部１６の自由端１６ａとの間から外向きに延びているときに、接着テープディスペンサー１は使用の準備が整う。この場合に、接着テープ２ａはローラー４０の周りにループでガイドされ、非接着面でローラー４０に対して部分的に突き当たる。この間、接着テープ２ａの接着面は完全に露呈し、所望に応じて一つの表面に貼り付けることができる。補足して詳しく述べると、ホルダー１０の押さえ部１６の自由端１６ａは接着テープ２ａの接着面に接触する。
【００３２】
上述の内容から、接着テープロール２がホルダー１０内に位置して、特に接着テープロール２を終わりまで使い切って接着テープ２ａがもう供給できないため、ホルダー１０から取り出したいときに、接着テープディスペンサー１のユーザーがすることは、接着テープロール２を把持してローラー４０から離れる方向に力を加えさえすればよいことが理解されよう。それ以上の動作は、ホルダー１０の外へ、即ち挿入開口１３を通って径方向に接着テープロール２を移動させるのに必要はない。従って挿入開口１３では、ホルダー１０の周囲部１１，１２の脚部１１ｂ，１２ｂが離れるように移動し、その結果として接着テープロール２の通過を許容するのに十分な大きさに挿入開口１３は一時的になることができる。さらに、ホルダー１０の構成としては、挿入開口１３の通常サイズ、即ち脚部１１ｂ，１２ｂの通常の形状に伴う挿入開口１３のサイズが十分に小さく、ホルダー１０から使用後の接着テープロール２がいつの間にか脱落することを防止する。
【００３３】
接着テープディスペンサー１は、表面（図示せず）に接着テープ２ａを貼り付ける機能を有する。接着テープディスペンサー１の周知の用途は、箱を閉ざして封緘することである。例えば、箱の二つのフラップ部分が所定位置にあるときに、箱を閉めることを行い、その後に、接着テープ２ａのストリップが、二つのフラップ部の相互の位置を固定するために貼り付けられる。接着テープ２ａを当てることが必要な表面は、通常、複合的な表面である。即ち２部分以上を含む面である。接着テープディスペンサー１の使用の初めには、ユーザーは接着テープディスペンサー１から突出している接着テープ２ａの自由端の部分を、表面へ、特に、当てるべき接着テープ２ａのストリップの所望の初めの位置へ押し付ける。その後、ユーザーは初めの位置から、即ち接着テープディスペンサー１から接着テープ２ａが供給できる方向に、接着テープディスペンサー１を引き抜く。使用するときに、ユーザーはハンドル２０を片手で持つ。ユーザーが接着テープディスペンサー１を動かし始めると、ローラー４０の回転が行われ、ホルダー１０内の接着テープロール２の回転もやはりこれにより行われる。接着テープ２ａが押さえ部１６によってローラー４０に押し付けられるので、接着テープ２ａの送り出しが制御された形態で行われ、このとき接着テープ２ａに適度のテンションが与えられる。接着テープ２ａのストリップを貼り付ける通常の方法は、まず接着テープディスペンサー１からストリップを引き出し、このときカバーするべき表面にストリップの最初の部分を貼り付け、その後に、表面に対して下向きに接着テープディスペンサー１を動かすことで単一の動きでストリップを表面に接触することを許容することである。
【００３４】
接着テープ２ａのストリップが所定位置になったときに、接着テープディスペンサー１をひねることにより接着テープディスペンサー１から突出した接着テープ２ａの一片から、ストリップは容易に分離可能である。こうして、テープ貼着部３１はストリップと接着テープディスペンサー１との相互の位置を貼着するための位置に置かれ、その後に、工程中でテープ貼着部３１とローラー４０との間で延びている接着テープ２ａの一片に切断刃３２を押して突き通す。
【００３５】
従って、上述の内容によれば、最低限の構成要素のみで接着テープディスペンサー１を実現することは接着テープディスペンサー１の使用の通常の容易さに悪影響を及ぼすことはない。本発明に係る、接着テープ２ａを表面に貼り付ける接着テープディスペンサー１の機能は、自然な動作を伴って、通常知られる方式でユーザーによって行われる。接着テープロール２をホルダー１０に挿入することと、接着テープロール２をホルダー１０から取り出すことは両方とも非常に単純であり、接着テープロール２を把持することと、その後に適切な径方向に接着テープロール２を移動させることしか必要とされない。
【００３６】
現存の接着テープディスペンサー１の構成と比較すると、本発明の接着テープディスペンサー１は比較的容易な方法で製造できる。一つの可能性によれば、ホルダー１０，ハンドル２０，テープ貼着部３１の全体的な一体構造３は、射出成形で製造される。この目的のために、射出成形の成形型（図示せず）が、通常知られる形で利用される。これは、流体のプラスチック材料が充填できる内部スペースを規定している。このスペースの構成は、全体的な一体構造３の所望の形状に対して適合されたものである。好ましくは、射出成形の工程の前に切断刃３２を受け入れ、射出成形の工程の間にそのスペースに正確に切断刃３２を位置決めするのに、射出成形の成形型を用いるのが適切である。こうして、切断刃３２は全体的な一体構造３に直接に一体に設けられるので、別のステップで全体的な一体構造３に設置される必要がなくなる。その他に、ローラー４０もやはり、射出成形でプラスチック材料から形成することができる。この目的のために、分割した射出成形の成形型を利用することができるが、ホルダー１０，ハンドル２０，テープ貼着部３１の全体的な一体構造３として、同じスペース、又は全体的な一体構造３を形成するスペースと別のスペースのいずれかで、同じ射出成形の成形型内でローラー４０を形成することも可能である。後者の場合は、ローラー４０は全体的な一体構造３に対して射出成形され、後のステップでこれから破断して取られる。いずれの場合も、接着テープディスペンサー１の製造方法は、接着テープディスペンサー１の他の構成要素とローラー４０を組み立てるステップを含む。図示した接着テープディスペンサー１の例では、このステップはホルダー１０のカバー部１４，１５のフラップ１４ａ，１５ａの間にローラー４０を押し込むこと以上のことは含まない。フラップ１４ａ，１５ａは、それらの開口１４ｂ，１５ｂにローラー４０の支持軸４１，４２がスナップ結合ではまる（ｓｎａｐ）まで離れるように移動し、その後に、フラップ１４ａ，１５ａの間でローラー４０が結局保持されるようになる基礎の初期位置で、原形にもどる。
【００３７】
本発明の範囲は、上述した内容の例に限定されず、その変形例や変種は、添付した請求項に定義した発明の範囲を越えない内容で可能になるということは、この分野の当業者には明らかであろう。
【００３８】
上述したように、切断刃３２が金属で形成されていれば有利な利点となる。これは、切断刃３２をプラスチック材料で形成し、ホルダー１０，ハンドル２０，テープ貼着部３１をプラスチック材料の全体的な一体構造で形成することが本発明の枠組みの中で可能であるという事項に矛盾するものではない。この場合、本発明の接着テープディスペンサー１は、図面に示して上記記載に述べた実施形態よりも一層単純な構成を有するものとなる。本発明の枠組みの中で実現可能なもう一つの例は、切断機構３０のない接着テープディスペンサー１を提供するものである。この場合にさらに、接着テープディスペンサー１はただ二つの部分、即ちローラー４０と、ホルダー１０及びハンドル２０の全体的な一体構造とからなっている。
【００３９】
本発明の枠組みの中では、ホルダー１０とハンドル２０とは相互に一体に設ける必要はないが、接着テープディスペンサー１の構成要素の数を最低限に抑えるために、一体に設けることが好ましい。補足して詳しく述べると、この「相互に一体に設ける」という表現は「単一の全体的な一体構造を相互に一緒に形成すること」として理解するべきである。これは、上述した部分を除いて他の部分を全体的な一体構造が備えているという可能性があるわけである。
【００４０】
本発明の妥当な要旨は次の通りである。接着テープ２ａのストリップを表面に貼り付けるのに用いられる接着テープ２ａを供給する接着テープディスペンサー１は、最小限の数の構成要素からなっている。本質的には、接着テープディスペンサー１は、接着テープロール２を受け入れて収容するホルダー１０であり、接着テープロール２を軸方向に保持しつつ、これをその外周の一部に沿って囲むように構成されているホルダー１０と、ホルダー１０から延びているハンドル２０と、ホルダー１０内に回転可能に設けられ、ホルダー１０に受け入れられた接着テープロール２の外周に接触し、接着テープディスペンサー１の使用中に接着テープロール２から繰り出され、表面に当てられた接着テープ２ａを接着テープディスペンサー１の外へガイドするローラー４０とを備えている。ホルダー１０は、単一の全体的な一体構造として構成され、押さえ部を備え、押さえ部の自由端は、接着テープ２ａがローラー４０と押さえ部の自由端との間に挿入されたときに接着テープ２ａをローラー４０に押し付けている。ローラー４０は、ホルダー１０との直接結合のみに基づいて、ホルダー１０に保持されている。さらに、ホルダー１０とハンドル２０とは互いに一体に設けられている。
【００４１】
ホルダー１０が、請求項に記載した本発明の第１の態様として押さえ部１６を有する単一の全体的な一体構造であるという事項と、請求項に記載した本発明の第２の態様としてホルダー１０への直接結合のみに基づいてローラー４０が保持されるという事項は、別々に考えることができる。従って第１に、本発明は、接着テープ２ａを表面に貼り付ける装置に係るものとして定義されている。装置は、接着テープロール２を受け入れて収容するホルダー１０であり、接着テープロール２を軸方向に保持しつつ、これをその外周の一部に沿って囲むように構成されているホルダー１０と、ホルダー１０から延びているハンドル２０と、ホルダー１０内に回転可能に設けられ、ホルダー１０に受け入れられた接着テープロール２の外周に接触し、装置使用中に接着テープロール２から繰り出され、表面に当てられた接着テープ２ａを装置外へガイドするローラー４０とを備えている。ホルダー１０は、単一の全体的な一体構造として構成され、押さえ部を備え、押さえ部の自由端は、接着テープ２ａがローラー４０と押さえ部の自由端との間に挿入されたときに接着テープ２ａをローラー４０に押し付けている。任意の構成では、ローラー４０は、ホルダー１０との直接結合のみに基づいて、ホルダー１０に保持されている。
【００４２】
第２に、本発明は、接着テープ２ａを表面に貼り付ける装置に係るものとして定義されている。装置は、接着テープロール２を受け入れて収容するホルダー１０であり、接着テープロール２を軸方向に保持しつつ、これをその外周の一部に沿って囲むように構成されているホルダー１０と、ホルダー１０から延びているハンドル２０と、ホルダー１０内に回転可能に設けられ、ホルダー１０に受け入れられた接着テープロール２の外周に接触し、装置使用中に接着テープロール２から繰り出され、表面に当てられた接着テープ２ａを装置外へガイドするローラー４０と、押さえ機構１６とを備え、押さえ機構１６は、接着テープ２ａがローラー４０と押さえ機構１６との間に挿入されたときに接着テープ２ａをローラー４０に押し付けている。ローラー４０は、ホルダー１０との直接結合のみに基づいて、ホルダー１０に保持されている。任意の構成では、ホルダー１０は、単一の全体的な一体構造として構成され、押さえ機構１６はホルダー１０の一部である。
【００４３】
上述したことに関連して、第１に、本発明は、接着テープを表面に貼り付ける装置を製造する方法に係るものとして定義されている。装置は、接着テープロール２を受け入れて収容するホルダー１０であり、接着テープロール２を軸方向に保持しつつ、これをその外周の一部に沿って囲むように構成されているホルダー１０と、ホルダー１０から延びているハンドル２０と、ホルダー１０内に回転可能に設けられ、ホルダー１０に受け入れられた接着テープロール２の外周に接触し、装置使用中に接着テープロール２から繰り出され、表面に当てられた接着テープ２ａを装置外へガイドするローラー４０とを備え、ホルダー１０は、単一の全体的な一体構造として構成され、その押さえ部１６は自由端１６ａを有し、自由端１６ａは、接着テープ２ａがローラー４０と押さえ部１６の自由端１６ａとの間に挿入されたときに接着テープ２ａをローラー４０に押し付け、任意の構成では、ローラー４０は、ホルダー１０に直接結合されている。
【００４４】
第２に、本発明は、接着テープを表面に貼り付ける装置を製造する方法に係るものとして定義されている。装置は、接着テープロール２を受け入れて収容するホルダー１０であり、接着テープロール２を軸方向に保持しつつ、これをその外周の一部に沿って囲むように構成されているホルダー１０と、ホルダー１０から延びているハンドル２０と、ホルダー１０内に回転可能に設けられ、ホルダー１０に受け入れられた接着テープロール２の外周に接触し、装置使用中に接着テープロール２から繰り出され、表面に当てられた接着テープ２ａを装置外へガイドするローラー４０と、押さえ機構１６とを備え、押さえ機構１６は、接着テープ２ａがローラー４０と押さえ機構１６との間に挿入されたときに接着テープ２ａをローラー４０に押し付けている。ローラー４０は、ホルダー１０に直接結合されている。任意の構成では、ホルダー１０は、単一の全体的な一体構造として構成され、押さえ機構１６はホルダー１０の一部である。
【００４５】
本明細書で説明したように、請求項で定義された発明の特定の態様は、先の二つの段落で定義された可能な発明にも同様に適用可能である。
【図１】
2019510712.tif 000003
【図２】
2019510712.tif 000004
【図３】
2019510712.tif 000005
【図４】
2019510712.tif 000006
【国際調査報告】
2019510712.tif 000007
2019510712.tif 000008
2019510712.tif 000009